【手続補正書】
【提出日】平成26年2月25日(2014.2.25)
【手続補正１】
【補正対象書類名】特許請求の範囲
【補正対象項目名】全文
【補正方法】変更
【補正の内容】
【特許請求の範囲】
【請求項１】
処理対象ブロックごとに、該処理対象ブロックの動きベクトルと該動きベクトルの予測ベクトル候補とを用いて復号処理を行う動画像復号装置であって、
前記処理対象ブロックが参照可能なピクチャのピクチャ情報を記憶する参照ピクチャリスト記憶部と、
前記処理対象ブロックに対して空間的又は時間的に隣接するブロックの動きベクトル、該動きベクトルが参照するピクチャを示す参照ピクチャ識別子を含む動きベクトル情報を記憶する動きベクトル情報記憶部と、
前記処理対象ブロックの動きベクトルに対する予測ベクトル候補に、前記ピクチャ情報及び前記動きベクトル情報を用いてスケーリングを行う場合、該予測ベクトル候補を０方向に所定量補正する予測ベクトル生成部と、
を備える動画像復号装置。
【請求項２】
前記予測ベクトル生成部は、
前記ピクチャ情報及び前記動きベクトル情報を用いてスケーリング係数を計算するスケーリング係数計算部と、
前記スケーリング係数の大きさに基づいて前記所定量を計算し、計算された該所定量を用いて前記予測ベクトル候補を補正するスケーリング演算部と、
を備える請求項１記載の動画像復号装置。
【請求項３】
前記スケーリング係数は、小数点以下の精度として所定の精度を有し、
前記スケーリング演算部は、
前記スケーリング係数を予測ベクトル候補に乗算して所定の小数点以下の精度に拡張しスケーリングされた予測ベクトル候補を求めるスケーリング部と、
前記スケーリング部でスケーリングされた予測ベクトル候補を０方向に所定量補正する補正部と、
前記スケーリング部で所定の小数点以下の精度を有するスケーリング係数でスケーリングされ前記補正部で補正された予測ベクトル候補を、最も近い整数に変換する調整部と、
を備える請求項２記載の動画像復号装置。
【請求項４】
前記所定の小数点以下の精度がNビットである際に、前記調整部は、２N-1を加算したのちにNビット分右シフトすることを特徴とする請求項３記載の動画像復号装置。
【請求項５】
前記予測ベクトル生成部は、
前記予測ベクトル候補の大きさが第１所定値以下の場合に、予測ベクトル候補の補正処理を行う請求項１乃至４いずれか一項に記載の動画像復号装置。
【請求項６】
前記予測ベクトル生成部は、
予測ベクトルの属するピクチャと、該予測ベクトルが参照するピクチャとの間隔が第２所定値以下の場合に、予測ベクトル候補の補正処理を行う請求項１乃至４いずれか一項に記載の動画像復号装置。
【請求項７】
処理対象ブロックごとに、該処理対象ブロックの動きベクトルと該動きベクトルの予測ベクトル候補とを用いて復号処理を行う動画像復号装置が実行する動画像復号方法であって、
前記処理対象ブロックが参照可能なピクチャのピクチャ情報及び前記処理対象ブロックに対して空間的又は時間的に隣接するブロックの動きベクトルと、該動きベクトルが参照するピクチャを示す参照ピクチャ識別子とを含む動きベクトル情報を用いて、前記処理対象ブロックの動きベクトルに対する予測ベクトル候補にスケーリングを行う場合、該予測ベクトル候補を０方向に所定量補正してスケーリングし、
スケーリングされた予測ベクトル候補を用いて前記処理対象ブロックの動きベクトルとの差分を算出する動画像復号方法。
【請求項８】
処理対象ブロックごとに、該処理対象ブロックの動きベクトルと該動きベクトルの予測ベクトル候補とを用いて復号処理を行う動画像復号装置に実行させる動画像復号プログラムであって、
前記処理対象ブロックが参照可能なピクチャのピクチャ情報及び前記処理対象ブロックに対して空間的又は時間的に隣接するブロックの動きベクトルと、該動きベクトルが参照するピクチャを示す参照ピクチャ識別子とを含む動きベクトル情報を用いて、前記処理対象ブロックの動きベクトルに対する予測ベクトル候補にスケーリングを行う場合、該予測ベクトル候補を０方向に所定量補正してスケーリングし、
スケーリングされた予測ベクトル候補を用いて前記処理対象ブロックの動きベクトルとの差分を算出する、
処理を動画像復号装置に実行させる動画像復号プログラム。
【手続補正２】
【補正対象書類名】明細書
【補正対象項目名】発明の名称
【補正方法】変更
【補正の内容】
【発明の名称】動画像復号装置、動画像復号方法、及び動画像復号プログラム
【手続補正３】
【補正対象書類名】明細書
【補正対象項目名】０００１
【補正方法】変更
【補正の内容】
【０００１】
本発明は、各ピクチャを複数のブロックに分割してブロックごとに動き補償する動画像復号装置、動画像復号方法、及び動画像復号プログラムに関する。
【手続補正４】
【補正対象書類名】明細書
【補正対象項目名】００３５
【補正方法】変更
【補正の内容】
【００３５】
開示の一態様における動画像復号装置は、処理対象ブロックごとに、該処理対象ブロックの動きベクトルと該動きベクトルの予測ベクトル候補とを用いて復号処理を行う動画像復号装置であって、前記処理対象ブロックが参照可能なピクチャのピクチャ情報を記憶する参照ピクチャリスト記憶部と、前記処理対象ブロックに対して空間的又は時間的に隣接するブロックの動きベクトル、該動きベクトルが参照するピクチャを示す参照ピクチャ識別子を含む動きベクトル情報を記憶する動きベクトル情報記憶部と、前記処理対象ブロックの動きベクトルに対する予測ベクトル候補に、前記ピクチャ情報及び前記動きベクトル情報を用いてスケーリングを行う場合、該予測ベクトル候補を０方向に所定量補正する予測ベクトル生成部と、を備える。
【手続補正５】
【補正対象書類名】明細書
【補正対象項目名】００３６
【補正方法】削除
【補正の内容】
【手続補正６】
【補正対象書類名】明細書
【補正対象項目名】００９１
【補正方法】変更
【補正の内容】
【００９１】
ステップＳ１０７で、逆直交変換部１０８で、逆量子化された信号に対し、逆直交変換処理を行う。逆直交変換処理の決定、予測誤差信号が生成される。
【手続補正７】
【補正対象書類名】明細書
【補正対象項目名】０１２２
【補正方法】変更
【補正の内容】
【０１２２】
ステップＳ４０７〜Ｓ４０９、Ｓ４１１は、図１４で説明したステップＳ２０１〜Ｓ２０３、Ｓ２０５と同様である。
【手続補正８】
【補正対象書類名】明細書
【補正対象項目名】０１２９
【補正方法】変更
【補正の内容】
【０１２９】
動きベクトル判定部５０１は、動きベクトルの大きさが所定値以下であれば、スケーリング演算部Ａ５０２、動きベクトルの大きさが所定値より大きければ、スケーリング演算部Ｂ５０３に切り替える。
【手続補正９】
【補正対象書類名】明細書
【補正対象項目名】０１８３
【補正方法】変更
【補正の内容】
【０１８３】
差分ベクトル算出部７０６は、動き検出部７０１からＬ０とＬ１の動きベクトルを取得し、予測ベクトル生成部７０５からＬ０とＬ１の予測ベクトル候補リストを取得し、それぞれの差分ベクトルを算出する。
【手続補正１０】
【補正対象書類名】明細書
【補正対象項目名】０２２３
【補正方法】変更
【補正の内容】
【０２２３】
１００  動画像復号装置
１０１  エントロピー復号部
１０２  参照ピクチャリスト記憶部
１０３  動きベクトル情報記憶部
１０４  予測ベクトル生成部
１０５  動きベクトル復元部
１０６  予測画素生成部
１０７  逆量子化部
１０８  逆直交変換部
１０９  復号画素生成部
１１０  復号画像記憶部
２０１  スケーリング係数計算部
２０２  ベクトル情報取得部
２０３  スケーリング演算部
３０１  スケーリング部
３０２、３０４、３０６  補正部
３０３、３０５  調整部
３６１  オフセット計算部
４０１  ブロック判定部
４０２、５０２、６０２  スケーリング演算部Ａ
４０３、５０３、６０３  スケーリング演算部Ｂ
５０１  動きベクトル判定部
６０１  時間差判定部
７００  動画像符号化装置
７０１  動き検出部
７０２  参照ピクチャリスト記憶部
７０３  復号画像記憶部
７０４  動きベクトル情報記憶部
７０５  予測ベクトル生成部
７０６  差分ベクトル算出部
７０７  予測画素生成部
７０８  予測誤差生成部
７０９  直交変換部
７１０  量子化部
７１１  逆量子化部
７１２  逆直交変換部
７１３  復号画素生成部
７１４  エントロピー符号化部